Podtech/llm-jp-corpus-v4-ja_patent huggingface dataset:
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
露光装置における投影光学系の収差を評価する評価方法であって、
マスクの複数のパターン要素を前記露光装置の前記投影光学系により基板に転写する転写工程と、
前記投影光学系による前記複数のパターン要素の各々の投影位置に関する第１特性値を前記転写工程での転写結果に基づいて求め、前記複数のパターン要素の前記第１特性値の平均値を第１情報として求める第１工程と、
前記投影光学系からの光を受光するセンサを用いて、前記投影光学系により投影された前記複数のパターン要素の像を検出する検出工程と、
前記投影光学系による前記複数のパターン要素の各々の投影位置に関する第２特性値を前記検出工程での検出結果に基づいて求め、前記複数のパターン要素の前記第２特性値の平均値と前記複数のパターン要素の各々についての前記第２特性値との差を第２情報として求める第２工程と、
前記第１情報と前記第２情報とから得られる評価用情報に基づいて、前記投影光学系の収差を評価する評価工程と、
を含むことを特徴とする評価方法。
【請求項２】
前記評価工程において、前記第１情報としての前記第１特性値の平均値と前記第２情報としての前記差とを合わせて前記評価用情報を求める、ことを特徴とする請求項１に記載の評価方法。
【請求項３】
前記評価工程では、前記第１情報としての前記第１特性値の平均値と、重みを付けた前記第２情報としての前記差と、をパターン要素ごとに足し合わせることにより前記評価用情報を求める、ことを特徴とする請求項２に記載の評価方法。
【請求項４】
前記複数のパターン要素は、ラインの伸びる方向が互いに異なる複数のライン要素を含む、ことを特徴とする請求項１乃至３のうちいずれか１項に記載の評価方法。
【請求項５】
前記複数のライン要素は、ラインの伸びる方向が互いに４５度ずつ異なる、ことを特徴とする請求項４に記載の評価方法。
【請求項６】
前記第１工程では、ラインの伸びる方向に応じて各パターン要素の前記第１特性値に重み付けし、前記複数のパターン要素について重み付けされた前記第１特性値の平均値を前記第１情報として求める、ことを特徴とする請求項４又は５に記載の評価方法。
【請求項７】
前記第１特性値および前記第２特性値はそれぞれ、前記投影光学系のフォーカス値を含み、
前記評価工程では、前記投影光学系の像面湾曲および非点収差の少なくとも一方を評価する、ことを特徴とする請求項１乃至６のうちいずれか１項に記載の評価方法。
【請求項８】
前記第１特性値および前記第２特性値はそれぞれ、前記投影光学系の光軸と垂直な方向において前記投影光学系により前記複数のパターン要素が結像される位置と目標位置とのずれ量を含み、
前記評価工程では、前記投影光学系の歪曲収差を評価する、ことを特徴とする請求項１乃至７のうちいずれか１項に記載の評価方法。
【請求項９】
前記第１特性値および前記第２特性値はそれぞれ、前記光軸に垂直な第１方向における前記ずれ量と、前記光軸に垂直かつ前記第１方向と異なる第２方向における前記ずれ量とを含む、ことを特徴とする請求項８に記載の評価方法。
【請求項１０】
前記転写工程は１回だけ行われる、ことを特徴とする請求項１乃至９のうちいずれか１項に記載の評価方法。
【請求項１１】
前記検出工程は複数回行われ、
前記第２工程では、複数回の前記検出工程で得られた複数の検出結果を平均化した結果に基づいて前記第２情報を求める、ことを特徴とする請求項１０に記載の評価方法。
【請求項１２】
前記露光装置の照明条件が変更された場合、
変更後の照明条件で前記検出工程および前記第２工程を新たに行うことにより変更後の照明条件での前記第２情報を新たに求める工程と、
変更前の照明条件で求められた前記第２情報と、変更後の照明条件で新たに求められた前記第２情報との差に基づいて、前記評価用情報を補正する工程と、
補正した前記評価用情報に基づいて、変更後の照明条件での前記投影光学系の収差を評価する工程と、
を行うことを特徴とする請求項１乃至１１のうちいずれか１項に記載の評価方法。
【請求項１３】
露光装置における投影光学系の収差を評価する評価方法であって、
前記投影光学系によるマスクの複数のパターン要素の各々の投影位置に関する第１特性値を、前記複数のパターン要素を前記露光装置の前記投影光学系により基板に転写した転写結果に基づいて求め、前記複数のパターン要素の前記第１特性値の平均値を前記投影光学系の収差を示す第１情報として求める第１工程と、
前記投影光学系による前記複数のパターン要素の各々の投影位置に関する第２特性値を、前記投影光学系により投影された前記複数のパターン要素の像を検出した検出結果に基づいて求め、前記複数のパターン要素の前記第２特性値の平均値、および、前記複数のパターン要素の各々についての前記第２特性値と前記第２特性値の平均値との差、を第２情報として求める第２工程と、
前記第１情報と前記第２情報とから得られる評価用情報に基づいて、前記投影光学系の収差を評価する評価工程と、
を含むことを特徴とする評価方法。
【請求項１４】
基板を露光する露光方法であって、
請求項１乃至１３のうちいずれか１項に記載の評価方法を用いて投影光学系の収差を評価する工程と、
前記投影光学系の収差の評価結果に基づいて前記露光装置を校正する工程と、
校正された前記露光装置を用いて前記基板を露光する工程と、
を含むことを特徴とする露光方法。
【請求項１５】
請求項１４に記載の露光方法を用いて基板を露光する工程と、
前記工程で露光を行われた前記基板を現像する工程と、
を含み、現像された基板から物品を得ることを特徴とする物品の製造方法。
【手続補正２】
【補正対象書類名】明細書
【補正対象項目名】０００６
【補正方法】変更
【補正の内容】
【０００６】
上記目的を達成するために、本発明の一側面としての評価方法は、露光装置における投影光学系の収差を評価する評価方法であって、マスクの複数のパターン要素を前記露光装置の前記投影光学系により基板に転写する転写工程と、前記投影光学系による前記複数のパターン要素の各々の投影位置に関する第１特性値を前記転写工程での転写結果に基づいて求め、前記複数のパターン要素の前記第１特性値の平均値を第１情報として求める第１工程と、前記投影光学系からの光を受光するセンサを用いて、前記投影光学系により投影された前記パターンの像を検出する検出工程と、前記投影光学系による前記複数のパターン要素の各々の投影位置に関する第２特性値を前記検出工程での検出結果に基づいて求め、前記複数のパターン要素の前記第２特性値の平均値と前記複数のパターン要素の各々についての前記第２特性値との差を第２情報として求める第２工程と、前記第１情報と前記第２情報とから得られる評価用情報に基づいて、前記投影光学系の収差を評価する評価工程と、を含むことを特徴とする。
【手続補正書】
【提出日】平成30年12月25日(2018.12.25)
【手続補正１】
【補正対象書類名】明細書
【補正対象項目名】０００５
【補正方法】変更
【補正の内容】
【０００５】
本発明者らは、上記課題を解決すべく鋭意検討を行なった結果、以下のトナーを見出した。
すなわち、本発明は、有機ケイ素重合体及び樹脂Ａを含有するトナー粒子を有するトナーであって、
前記有機ケイ素重合体が、下記式（２）又は（３）で表される部分構造を有し、
前記トナー粒子の表面のＸ線光電子分光分析において、前記トナー粒子の表面の、炭素原子の濃度ｄＣ、酸素原子の濃度ｄＯ、及びケイ素原子の濃度ｄＳｉの合計を１００．０ａｔｏｍｉｃ％としたときに、前記ケイ素原子の濃度ｄＳｉが、１．０ａｔｏｍｉｃ％以上であり、
前記樹脂Ａが、下記式（１）で表されるイソソルビドユニットを０．１０ｍｏｌ％以上３０．０ｍｏｌ％以下有する樹脂であることを特徴とするトナーに関する。
【手続補正２】
【補正対象書類名】特許請求の範囲
【補正対象項目名】全文
【補正方法】変更
【補正の内容】
【特許請求の範囲】
【請求項１】
有機ケイ素重合体及び樹脂Ａを含有するトナー粒子を有するトナーであって、
前記有機ケイ素重合体が、下記式（２）又は（３）で表される部分構造を有し、
前記トナー粒子の表面のＸ線光電子分光分析において、前記トナー粒子の表面の、炭素原子の濃度ｄＣ、酸素原子の濃度ｄＯ、及びケイ素原子の濃度ｄＳｉの合計を１００．０ａｔｏｍｉｃ％としたときに、前記ケイ素原子の濃度ｄＳｉが、１．０ａｔｏｍｉｃ％以上であり、
前記樹脂Ａが、下記式（１）で表されるイソソルビドユニットを０．１０ｍｏｌ％以上３０．０ｍｏｌ％以下有する樹脂である
ことを特徴とするトナー。
【化１】
2017116809.tif 000001
（式（３）中のＬは、メチレン基、エチレン基又はフェニレン基を表す。）
【請求項２】
前記樹脂Ａが、ポリエステル樹脂である請求項１に記載のトナー。
【請求項３】
前記樹脂Ａが、
イソソルビド、
ビスフェノールＡのアルキレンオキシド付加物、
エチレングリコール、
ジエチレングリコール、
トリエチレングリコール、
１，２−プロピレングリコール、
１，３−プロピレングリコール、
１，４−ブタンジオール、
ネオペンチルグリコール、
１，４−ブテンジオール、
１，５−ペンタンジオール、
１，６−ヘキサンジオール、
１，４−シクロヘキサンジメタノール、
ジプロピレングリコール、
ポリエチレングリコール、
ポリプロピレングリコール、
ポリテトラメチレングリコール、
ビスフェノールＡ、
水素添加ビスフェノールＡ
ソルビトール、
１，２，３，６−ヘキサンテトロール、
１，４−ソルビタン、
ペンタエリスリトール、
ジペンタエリスリトール、
トリペンタエリスリトール、
１，２，４−ブタントリオール、
１，２，５−ペンタントリオール、
グリセロール、
２−メチルプロパントリオール、
２−メチル−１，２，４−ブタントリオール、
トリメチロールエタン、
トリメチロールプロパン、及び、
１，３，５−トリヒドロキシメチルベンゼン
からなる群より選択される少なくとも一種のアルコール成分、並びに、
フタル酸、
イソフタル酸、
テレフタル酸、
トリメリット酸、
ピロメリット酸、
フマル酸、
マレイン酸、
アジピン酸、
コハク酸、
ドデセニルコハク酸、
オクテニルコハク酸、及び、
これらの無水物
からなる群より選択される少なくとも一種の酸成分、
のみを縮重合して得られるポリエステル樹脂であり、
前記アルコール成分は、少なくとも前記イソソルビドを含み、
前記樹脂Ａは、前記イソソルビドに由来する前記式（１）で表されるイソソルビドユニットを、前記樹脂Ａを構成する前記アルコール成分に由来するモノマーユニット及び前記酸成分に由来するモノマーユニットの全てを基準として０．１０ｍｏｌ％以上３０．０ｍｏｌ％以下有する
請求項２に記載のトナー。
【請求項４】
前記トナー粒子が、前記有機ケイ素重合体を含有する表面層を有する請求項１〜３のいずれか１項に記載のトナー。
【請求項５】
前記トナー粒子の透過型電子顕微鏡（ＴＥＭ）を用いた断面観察において、前記トナー粒子の断面の最大径である長軸Ｌの中点を通り、且つ、前記中点における交差角が均等（交差角は１１．２５°）になるように前記断面を横断する直線を１６本ひくことにより前記中点から前記トナー粒子の表面まで３２本の線分が形成されたとき、前記３２本の線分上において、前記表面層の平均厚みＤａｖ．が５．０ｎｍ以上である請求項４に記載のトナー。
【請求項６】
前記表面層の厚みが２．５ｎｍ以下である前記線分の数の割合が、２０．０％以下である請求項５に記載のトナー。
【請求項７】
前記トナー粒子のＴＨＦ不溶分の29Ｓｉ−ＮＭＲの測定で得られるチャートにおいて、前記有機ケイ素重合体の全ピーク面積に対する下記式（４）の構造に帰属されるピーク面積の割合が、４０％以上である請求項１〜６のいずれか１項に記載のトナー。
Ｒｆ−ＳｉＯ3/2                        式（４）
（式（４）中、Ｒｆは、下記式（ｉ）又は（ｉｉ）である。）
【化２】
2017116809.tif 000002
（式（ｉ）及び（ｉｉ）中の※は、ケイ素原子との結合部である。式（ｉｉ）中のＬは、メチレン基、エチレン基又はフェニレン基を表す。）
【請求項８】
前記トナー粒子が、着色剤及び重合性単量体を含有する重合性単量体組成物を水系媒体中で造粒し、前記重合性単量体を重合することによって製造された重合法トナー粒子である請求項１〜７のいずれか１項に記載のトナー。
【請求項９】
前記ケイ素原子の濃度ｄＳｉが、９．０ａｔｏｍｉｃ％以上である請求項１〜８のいずれか１項に記載のトナー。
【請求項１０】
前記ケイ素原子の濃度ｄＳｉが、２８．６ａｔｏｍｉｃ％以下である請求項１〜９のいずれか１項に記載のトナー。
【手続補正書】
【提出日】平成30年12月17日(2018.12.17)
【手続補正１】
【補正対象書類名】明細書
【補正対象項目名】０００１
【補正方法】変更
【補正の内容】
【０００１】
本発明は、像ぶれ補正装置、その制御方法、および制御プログラム、並びに撮像装置に関し、特に、手ぶれなどの振れに起因する画像のぶれを補正する像ぶれ補正装置に関する。
【手続補正２】
【補正対象書類名】明細書
【補正対象項目名】０００９
【補正方法】変更
【補正の内容】
【０００９】
さらに、予め像ぶれ補正レンズを駆動制御して、像ぶれ補正レンズの実位置と位置検出部で検出された位置との関係に基づいて補正テーブルを生成する。そして、撮影の際には、当該補正テーブルを用いて位置検出部の出力を補正して、補正された出力に基づいて像ぶれ補正レンズを駆動制御するようにしたものがある（特許文献２参照）。
【手続補正３】
【補正対象書類名】特許請求の範囲
【補正対象項目名】全文
【補正方法】変更
【補正の内容】
【特許請求の範囲】
【請求項１】
撮影によって得られる画像の像ぶれを補正する像ぶれ補正装置であって、
予め設定された制御範囲において駆動制御され前記像ぶれを補正する像ぶれ補正部材と、
前記像ぶれ補正部材の位置を検出する位置検出手段と、
前記位置検出手段の出力である検出位置が前記制御範囲に設定された基準点を超える位置にあるか否かを判定する判定手段と、
前記判定手段によって前記検出位置が前記基準点を超える位置にあると判定されると、前記検出位置を所定の補正値で補正して補正検出位置とする補正手段と、
前記補正検出位置に基づいて前記像ぶれ補正部材を駆動制御する制御手段と、
を有することを特徴とする像ぶれ補正装置。
【請求項２】
前記判定手段によって前記検出位置が前記基準点以下の位置にあると判定されると、
前記制御手段は前記検出位置に基づいて前記像ぶれ補正部材を駆動制御することを特徴とする請求項１に記載の像ぶれ補正装置。
【請求項３】
前記補正値は、前記制御範囲で前記基準点を超える範囲において前記像ぶれ補正部材が前記基準点から離れるにつれて大きくなることを特徴とする請求項１又は２に記載の像ぶれ補正装置。
【請求項４】
前記補正手段は前記検出位置に前記補正値を加算して前記補正検出位置を得ることを特徴とする請求項１乃至３のいずれか１項に記載の像ぶれ補正装置。
【請求項５】
前記像ぶれ補正部材を駆動制御する際の目標位置と前記検出位置との差分が予め設定された閾値以下となる前記像ぶれ補正部材の位置を前記基準点とすることを特徴とする請求項１乃至４のいずれか１項に記載の像ぶれ補正装置。
【請求項６】
撮像光学系を介して結像した光学像に応じて前記画像を得る撮像手段と、
請求項１乃至５のいずれか１項に記載の像ぶれ補正装置と、
を有することを特徴とする撮像装置。
【請求項７】
前記像ぶれ補正部材は、前記撮像光学系に備えられ前記撮像光学系の光軸に交差する方向に駆動される像ぶれ補正レンズであることを特徴とする請求項６に記載の撮像装置。
【請求項８】
予め設定された制御範囲において駆動制御され撮影によって得られる画像の像ぶれを補正する像ぶれ補正部材を有する像ぶれ補正装置の制御方法であって、
前記像ぶれ補正部材の位置を検出する位置検出ステップと、
前記位置検出ステップで得られた検出位置が前記制御範囲に設定された基準点を超える位置にあるか否かを判定する判定ステップと、
前記判定ステップで前記検出位置が前記基準点を超える位置にあると判定されると、前記検出位置を所定の補正値で補正して補正検出位置とする補正ステップと、
前記補正検出位置に基づいて前記像ぶれ補正部材を駆動制御する制御ステップと、
を有することを特徴とする制御方法。
【請求項９】
予め設定された制御範囲において駆動制御され撮影によって得られる画像の像ぶれを補正する像ぶれ補正部材を有する像ぶれ補正装置で用いられる制御プログラムであって、
前記像ぶれ補正装置が備えるコンピュータに、
前記像ぶれ補正部材の位置を検出する位置検出ステップと、
前記位置検出ステップで得られた検出位置が前記制御範囲に設定された基準点を超える位置にあるか否かを判定する判定ステップと、
前記判定ステップで前記検出位置が前記基準点を超える位置にあると判定されると、前記検出位置を所定の補正値で補正して補正検出位置とする補正ステップと、
前記補正検出位置に基づいて前記像ぶれ補正部材を駆動制御する制御ステップと、
を実行させることを特徴とする制御プログラム。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成手段と、
前記画像形成手段の調整処理を実行する調整手段と、
所定の調整処理を含む複数の調整処理の中から前記調整手段に実行させる調整処理を選択する選択手段と、
前記選択手段に選択された前記調整処理が実行される場合、前記選択された調整処理が完了するまでの残り時間を決定する決定手段と、
前記決定手段により決定された前記残り時間を表示する表示手段と、を有し、
前記決定手段は、前記画像形成手段が複数の記録媒体に前記画像を形成する印刷ジョブを中断して前記調整手段によって前記所定の調整処理が実行される場合、前記残り時間を第一の予測時間に基づいて決定し、
前記決定手段は、前記印刷ジョブの実行後に前記調整手段によって前記所定の調整処理が実行される場合、前記残り時間を前記第一の予測時間よりも長い第二の予測時間に基づいて決定することを特徴とする画像形成装置。
【請求項２】
前記所定の調整処理は、前記複数の調整処理の中で、リトライ動作を実行する調整処理であることを特徴とする請求項１に記載の画像形成装置。
【請求項３】
前記複数の調整処理は、前記所定の調整処理と異なる他の調整処理を含み、
前記決定手段は、前記印刷ジョブを中断して前記調整手段によって前記所定の調整処理と前記他の調整処理とが実行される場合、前記残り時間を前記第一の予測時間と第三の予測時間とに基づいて決定し、
前記決定手段は、前記印刷ジョブの実行後に前記調整手段によって前記所定の調整処理と前記他の調整処理とが実行される場合、前記残り時間を前記第二の予測時間と前記第三の予測時間とに基づいて決定することを特徴とする請求項１に記載の画像形成装置。
【請求項４】
前記調整手段は、前記所定の調整処理が正常に完了しなかった場合に前記所定の調整処理のリトライ動作を実行し、
前記調整手段は、前記他の調整処理が正常に完了しなかった場合に前記他の調整処理のリトライ動作を実行しないことを特徴とする請求項３に記載の画像形成装置。
【請求項５】
前記所定の調整処理は、前記画像形成手段が前記画像を前記記録媒体へ転写するための転写電圧を補正する転写電圧補正動作であることを特徴とする請求項１乃至４のいずれか一項に記載の画像形成装置。
【手続補正２】
【補正対象書類名】明細書
【補正対象項目名】０００６
【補正方法】変更
【補正の内容】
【０００６】
そこで、本発明は、ユーザが出力物を回収できる時刻や画像形成装置を次に使用可能となる時刻を把握しやすい残り時間を表示することができる画像形成装置を提供する。
【手続補正３】
【補正対象書類名】明細書
【補正対象項目名】０００７
【補正方法】変更
【補正の内容】
【０００７】
本発明の一実施例による画像形成装置は、
記録媒体に画像を形成する画像形成手段と、
前記画像形成手段の調整処理を実行する調整手段と、
所定の調整処理を含む複数の調整処理の中から前記調整手段に実行させる調整処理を選択する選択手段と、
前記選択手段に選択された前記調整処理が実行される場合、前記選択された調整処理が完了するまでの残り時間を決定する決定手段と、
前記決定手段により決定された前記残り時間を表示する表示手段と、を有し、
前記決定手段は、前記画像形成手段が複数の記録媒体に前記画像を形成する印刷ジョブを中断して前記調整手段によって前記所定の調整処理が実行される場合、前記残り時間を第一の予測時間に基づいて決定し、
前記決定手段は、前記印刷ジョブの実行後に前記調整手段によって前記所定の調整処理が実行される場合、前記残り時間を前記第一の予測時間よりも長い第二の予測時間に基づいて決定することを特徴とする。
【手続補正４】
【補正対象書類名】明細書
【補正対象項目名】０００８
【補正方法】変更
【補正の内容】
【０００８】
本発明によれば、ユーザが出力物を回収できる時刻や画像形成装置を次に使用可能となる時刻を把握しやすい残り時間を表示することができる。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、１つ以上のレンズ群を有する後群より構成され、ズーミングに際して前記第１レンズ群は不動であり、ズーミングに際して隣り合うレンズ群の間隔が変化するズームレンズにおいて、
前記第１レンズ群の光路中に光路を折り曲げる反射面を含む反射部材が配置されており、
像ぶれ補正に際して、前記第２レンズ群は、光軸に対して垂直方向の成分を持つ方向に移動し、
望遠端で無限遠に合焦しているときの前記第２レンズ群の横倍率をβ２ｔとするとき、
−２．５０＜β２ｔ＜−０．９８
なる条件式を満足することを特徴とするズームレンズ。
【請求項２】
広角端における前記第２レンズ群の最も像側のレンズ面から前記第３レンズ群の最も物体側のレンズ面までの光軸上の距離をＤ２３ｗ、広角端における前記ズームレンズの焦点距離をｆｗとするとき、
０．５０＜Ｄ２３ｗ／ｆｗ＜１．５０
なる条件式を満足することを特徴とする請求項１に記載のズームレンズ。
【請求項３】
前記第１レンズ群の最も物体側のレンズ面から前記第１レンズ群の最も像側のレンズ面までの光軸上の距離をＤ１、望遠端における前記ズームレンズの焦点距離をｆｔとするとき、
０．２０＜Ｄ１／ｆｔ＜０．５０
なる条件式を満足することを特徴とする請求項１または２に記載のズームレンズ。
【請求項４】
前記第１レンズ群の最も物体側のレンズ面から前記第１レンズ群の最も像側のレンズ面までの光軸上の距離をＤ１、望遠端における前記ズームレンズの焦点距離をｆｔとするとき、
０．２０＜Ｄ１／ｆｔ＜０．４７
なる条件式を満足することを特徴とする請求項１乃至３のいずれか一項に記載のズームレンズ。
【請求項５】
前記第１レンズ群の焦点距離をｆ１、広角端における前記ズームレンズの焦点距離をｆｗとするとき、
２．００＜ｆ１／ｆｗ＜３．００
なる条件式を満足することを特徴とする請求項１乃至４のいずれか１項に記載のズームレンズ。
【請求項６】
前記第２レンズ群の焦点距離をｆ２、広角端における前記ズームレンズの焦点距離をｆｗとするとき、
−１．３０＜ｆ２／ｆｗ＜−０．６０
なる条件式を満足することを特徴とする請求項１乃至５のいずれか１項に記載のズームレンズ。
【請求項７】
広角端で無限遠に合焦しているときの前記第２レンズ群の横倍率をβ２ｗ、広角端における全系の焦点距離をｆｗ、望遠端における前記ズームレンズの焦点距離をｆｔとし、
Ｚ２＝β２ｔ／β２ｗ
Ｚ＝ｆｔ／ｆｗ
としたとき、
０．４６＜Ｚ２／Ｚ＜０．７２
なる条件式を満足することを特徴とする請求項１乃至６のいずれか１項に記載のズームレンズ。
【請求項８】
前記第１レンズ群は、物体側から像側へ順に配置された、負の屈折力のレンズ成分、反射部材、正の屈折力のレンズ成分より構成されることを特徴とする請求項１乃至７のいずれか１項に記載のズームレンズ。
【請求項９】
前記反射部材はプリズムにより構成されることを特徴とする請求項１乃至８のいずれか１項に記載のズームレンズ。
【請求項１０】
前記負の屈折力のレンズ成分の焦点距離をｆＧｎ、前記プリズムの光軸上の長さをＤｐｒとするとき、
−３．５０＜ｆＧｎ／Ｄｐｒ＜−１．２０
なる条件式を満足することを特徴とする請求項９に記載のズームレンズ。
【請求項１１】
前記プリズムの材料のｄ線における屈折率をＮｄｐｒとするとき、
１．８０＜Ｎｄｐｒ＜２．５０
なる条件式を満足することを特徴とする請求項９または１０に記載のズームレンズ。
【請求項１２】
前記後群は、負の屈折力のレンズ群を有することを特徴とする請求項１乃至１１のいずれか１項に記載のズームレンズ。
【請求項１３】
前記後群に含まれる負の屈折力のレンズ群の焦点距離をｆｎ、望遠端における前記ズームレンズの焦点距離をｆｔとするとき、
−０．５３＜ｆｎ／ｆｔ＜−０．１７
なる条件式を満足することを特徴とする請求項１２に記載のズームレンズ。
【請求項１４】
前記後群は正の屈折力の第４レンズ群より構成されることを特徴とする請求項１乃至１１のいずれか１項に記載のズームレンズ。
【請求項１５】
前記後群は物体側から像側へ順に配置された正の屈折力の第４レンズ群、負の屈折力の第５レンズ群より構成されることを特徴とする請求項１乃至１２のいずれか１項に記載のズームレンズ。
【請求項１６】
前記後群は物体側から像側へ順に配置された正の屈折力の第４レンズ群、負の屈折力の第５レンズ群、正の屈折力の第６レンズ群より構成されることを特徴とする請求項１乃至１２のいずれか１項に記載のズームレンズ。
【請求項１７】
請求項１乃至１６のいずれか１項のズームレンズと、該ズームレンズによって形成される像を受光する固体撮像素子とを有することを特徴とする撮像装置。
【手続補正２】
【補正対象書類名】明細書
【補正対象項目名】００３２
【補正方法】変更
【補正の内容】
【００３２】
広角端における第２レンズ群Ｌ２の最も像側のレンズ面から第３レンズ群Ｌ３の最も物
体側のレンズ面までの光軸上の距離をＤ２３ｗとする。広角端における全系（ズームレンズ）の焦点距離をｆｗとする。第１レンズ群Ｌ１の最も物体側のレンズ面から第１レンズ群Ｌ１の最も像側のレンズ面までの光軸上の距離をＤ１とする。望遠端における全系の焦点距離をｆｔとする。第１レンズ群Ｌ１の焦点距離をｆ１とする。第２レンズ群Ｌ２の焦点距離をｆ２とする。広角端で無限遠に合焦しているときの第２レンズ群Ｌ２の横倍率をβ２ｗとする。そして、
【手続補正３】
【補正対象書類名】明細書
【補正対象項目名】００４１
【補正方法】変更
【補正の内容】
【００４１】
より好ましくは条件式（３）の数値範囲を以下の範囲とするのがよい。
０．２５＜Ｄ１／ｆｔ＜０．４７      ・・・（３ａ）
さらに好ましくは条件式（３ａ）の数値範囲を以下の範囲とするのがよい。
０．３０＜Ｄ１／ｆｔ＜０．４７      ・・・（３ｂ）
この他条件式（３）の数値範囲を以下の範囲とするのが良い。
０．２０＜Ｄ１／ｆｔ＜０．４７      ・・・（３ｂ）
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
複数の光束が単一の偏向器に到達するように構成された入射光学系と、該偏向器によって偏向された該複数の光束のそれぞれが対応する走査面に集光されるように構成された結像光学系と、を備えた走査光学系であって、該結像光学系は、該複数の光束が通過するように構成された第１の走査レンズと、該複数の光束のそれぞれが通過するように構成された複数の第２の走査レンズとを備え、
該偏向器の回転軸と平行な方向を副走査方向とし、副走査方向を法線とする断面を主走査断面とし、該走査面上において集光された光束が走査によって移動する方向を主走査断面に投射した方向を主走査方向とし、主走査方向を法線とする断面を副走査断面として、
該複数の光束のうちの光束i（ｉは光束を識別する整数）の主光線が、主走査断面において、該対応する走査面に垂直に入射するときの該主光線の該偏向器における反射点を基準点とし、主走査断面において、該基準点から該対応する走査面までの距離をＬ、光束iに対応する第２の走査レンズの出射面の曲率中心から該対応する走査面までの距離をBFi、該第１の走査レンズの光束iについての屈折力をφ1s、第２の走査レンズの光束iについての屈折力をφ2siとして、
0.15 ≦ BFi／L ≦ 0.2         （１）
0.4 ≦ φ1si／φ2si ≦1        （２）
を満足する走査光学系。
【請求項２】
該入射光学系は、該複数の光束のそれぞれが副走査断面において、該偏向器の面上の１点で反射するように構成された請求項１に記載の走査光学系。
【請求項３】
該入射光学系は、該複数の光束のそれぞれをほぼ平行な光束とする複数のコリメータレンズと、コリメートされた複数の光束を該偏向器の面上に集光させるシリンドリカルレンズとを備え、該シリンドリカルレンズの焦点距離ｆｃｙが１０５ミリメータ以上であり、かつ１４０ミリメータ以下である請求項１または２に記載の走査光学系。
【請求項４】
該複数の第２の走査レンズは、主走査断面において、該入射面及び該出射面の曲率中心を結ぶ直線の近傍で負の屈折力を有し、周縁部で正の屈折力を有するように形成された請求項１から３のいずれかに記載の走査光学系。
【請求項５】
第１の走査レンズの入射面及び出射面のそれぞれの曲率中心を原点とし、該入射面の曲率中心と該出射面の曲率中心を結ぶ直線をz軸とし、該入射面及び該出射面のz＝０の点を含み、z軸に垂直な面内において互いに直交するx軸及びy軸を定め、第１の走査レンズは、該入射面及び該出射面のｙ軸を主走査方向とし、該入射面及び該出射面のx軸を副走査方向とするように配置され、該入射面及び該出射面の少なくとも一方のｘｚ断面における形状がｙ＝０に関して非対称である請求項１から４のいずれかに記載の走査光学系。
【請求項６】
請求項１から５のいずれか１項に記載の走査光学系に使用される第１の走査レンズと複数の第２の走査レンズとの組み合わせ。
【手続補正２】
【補正対象書類名】明細書
【補正対象項目名】０００５
【補正方法】変更
【補正の内容】
【０００５】
【特許文献１】特開２００４−３６１９４１号公報（特許４５６５８９０号）
【特許文献２】特開２００４−０７０１９０号公報（特許４１２０３１１号）
【手続補正３】
【補正対象書類名】明細書
【補正対象項目名】００３４
【補正方法】変更
【補正の内容】
【００３４】
図４（ｃ）において、第１の走査レンズ１０９１のｘ軸は、副走査方向（走査面３００に平行）であり、正の方向は下向きの方向である。第１の走査レンズ１０９１のｚ軸は、走査面３００に垂直であり、正の方向は右向きの方向である。
【手続補正４】
【補正対象書類名】明細書
【補正対象項目名】００４６
【補正方法】変更
【補正の内容】
【００４６】
図５（ａ）において、第１の走査レンズ１０９２のy軸は、主走査方向（走査面３００に平行）であり、正の方向は上向きの方向である。第１の走査レンズ１０９２のｚ軸は、走査面３００に垂直であり、正の方向は右向きの方向である。
【手続補正５】
【補正対象書類名】明細書
【補正対象項目名】００４８
【補正方法】変更
【補正の内容】
【００４８】
図５（ｃ）において、第１の走査レンズ１０９２のｘ軸は、副走査方向（走査面３００に平行）であり、正の方向は下向きの方向である。第１の走査レンズ１０９２のｚ軸は、走査面３００に垂直であり、正の方向は右向きの方向である。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
シトルリンと、下記（ａ）〜（ｅ）からなる群より選ばれる少なくとも１種の成分とを有効成分として含有することを特徴とする組成物。
（ａ）黒ショウガ、ショウガ、コショウ、稲、及びマキベリーから選ばれる少なくとも１種の植物素材
（ｂ）麦芽糖、トレハロース、還元パラチノース、還元麦芽糖、ステアリン酸カルシウム、及びシェラックから選ばれる少なくとも１種の機能性添加剤
（ｃ）ロイシン、メチオニン、フェニルアラニン、プロリン、セリン、トレオニン、トリプトファン、チロシン、及びバリンから選ばれる少なくとも１種のアミノ酸
（ｄ）没食子酸
（ｅ）ビタミンＡ、ビタミンＢ１、ビタミンＢ２、ビタミンＣ、パントテン酸ナトリウム、ナイアシン、葉酸、ビオチン、ビタミンＫ、イノシトール、カルシウム、亜鉛、鉄、銅、セレン、モリブデン、マグネシウム、及びクロムから選ばれる少なくとも１種のビタミン・ミネラル類
【請求項２】
シトルリンと（ａ）〜（ｅ）からなる群より選ばれる少なくとも１種の成分とからなる有効成分を添加して得たことを特徴とする請求項１記載の組成物。
【請求項３】
シトルリン及び他の有効成分の配合質量比が、０．５：１〜７０：１の範囲であることを特徴とする請求項１又は２記載の組成物。
【請求項４】
錠剤、カプセル剤、粉末剤、顆粒剤、又は液剤であることを特徴とする請求項１〜３のいずれか記載の組成物。
【請求項５】
請求項１〜４のいずれか記載の組成物を摂取させることを特徴とする血流改善方法（ただし、医療行為を除く）。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
遊技領域に設けた始動口への遊技球の入球に起因して抽出した乱数に基づいて、大当り遊技に移行するか否かの当否判定を行い、該当否判定の結果を報知する図柄を所定の変動時間が経過した後に確定表示する弾球遊技機であって、
前記当否判定の結果がハズレであることを示す複数のハズレ図柄と、
該複数のハズレ図柄の中からいずれかを選択するハズレ図柄決定手段と、
該ハズレ図柄決定手段が選択可能な前記ハズレ図柄が指定されたハズレ図柄テーブルと、
を備え、
該ハズレ図柄テーブルとして、前記ハズレ図柄決定手段が選択可能な前記ハズレ図柄の種類が異なる複数の前記ハズレ図柄テーブルを備え、
該複数の前記ハズレ図柄テーブルは、前記図柄の変動表示の回数、又は／及び遊技状態に応じて切り替わり、
複数の前記ハズレ図柄には、演出内容を指定する演出カテゴリが個々に指定され、
該演出カテゴリに基づいて前記変動時間を決定する変動パターン決定手段を備えるとともに、
前記当否判定が行われる前に前記乱数に基づいて前記図柄を判定する先読判定手段と、
該先読判定手段の判定に基づいて先読演出を実行する先読演出実行手段と、を備え、
該先読演出実行手段は、前記先読判定手段の判定結果が特定のハズレ図柄を示した場合は先読演出を実行する
ことを特徴とする弾球遊技機。
【手続補正２】
【補正対象書類名】明細書
【補正対象項目名】０００７
【補正方法】変更
【補正の内容】
【０００７】
請求項１記載の弾球遊技機は、
遊技領域に設けた始動口への遊技球の入球に起因して抽出した乱数に基づいて、大当り遊技に移行するか否かの当否判定を行い、該当否判定の結果を報知する図柄を所定の変動時間が経過した後に確定表示する弾球遊技機であって、
前記当否判定の結果がハズレであることを示す複数のハズレ図柄と、
該複数のハズレ図柄の中からいずれかを選択するハズレ図柄決定手段と、
該ハズレ図柄決定手段が選択可能な前記ハズレ図柄が指定されたハズレ図柄テーブルと、
を備え、
該ハズレ図柄テーブルとして、前記ハズレ図柄決定手段が選択可能な前記ハズレ図柄の種類が異なる複数の前記ハズレ図柄テーブルを備え、
該複数の前記ハズレ図柄テーブルは、前記図柄の変動表示の回数、又は／及び遊技状態に応じて切り替わり、
複数の前記ハズレ図柄には、演出内容を指定する演出カテゴリが個々に指定され、
該演出カテゴリに基づいて前記変動時間を決定する変動パターン決定手段を備えるとともに、
前記当否判定が行われる前に前記乱数に基づいて前記図柄を判定する先読判定手段と、
該先読判定手段の判定に基づいて先読演出を実行する先読演出実行手段と、を備え、
該先読演出実行手段は、前記先読判定手段の判定結果が特定のハズレ図柄を示した場合は先読演出を実行する
ことを特徴とする弾球遊技機である。
【手続補正３】
【補正対象書類名】明細書
【補正対象項目名】００１３
【補正方法】削除
【補正の内容】
【手続補正４】
【補正対象書類名】明細書
【補正対象項目名】００１７
【補正方法】変更
【補正の内容】
【００１７】
また、ハズレ図柄テーブルが切り替わることにより、先読み演出を集中させたり、特定の先読み演出だけを出現させたりなど今までにない演出のかたよりが可能になる。
【手続補正書】
【提出日】令和1年6月18日(2019.6.18)
【手続補正１】
【補正対象書類名】明細書
【補正対象項目名】００５４
【補正方法】変更
【補正の内容】
【００５４】
多くのさらなる修正形態および変形形態は、本発明の範囲を限定しようとするものではなく例示のみを目的として与えられる説明に役立つ上記の実施形態を参照すれば当業者には想到されよう。本発明の範囲は、添付の特許請求の範囲のみによって決定される。特に、異なる実施形態からの異なる特徴は、適宜入れ替えられる。
上述の実施形態の一部又は全部は、以下の付記のように記載され得るが、以下には限定されない。
（付記１）
視線追跡デバイスであって、
視線追跡デバイスの使用者の目の表面上に赤外光を投影するように構成された複数の光源と、
使用者の目の表面から反射された赤外光を捕捉するライトフィールドカメラと、
を備える、視線追跡デバイス。
（付記２）
光源は、使用者の目の視野の周辺部に配置される、付記１に記載の視線追跡デバイス。
（付記３）
ライトフィールドカメラは、使用者の目の視野の周辺部に配置される、付記１または２に記載の視線追跡デバイス。
（付記４）
光源は、偏光された赤外光を放出する、付記１乃至３のいずれか一項に記載の視線追跡デバイス。
（付記５）
少なくともライトフィールドカメラのマイクロレンズアレイのマイクロレンズに、偏光フィルターが装備される、付記１乃至３のいずれか一項に記載の視線追跡デバイス。
（付記６）
少なくとも１つの視線追跡デバイスを備える頭部装着型デバイスであって、
視線追跡デバイスの使用者の目の表面上に赤外光を投影するように構成された複数の光源と、
使用者の目の表面から反射された赤外光を捕捉するライトフィールドカメラと、
を備える、頭部装着型デバイス。
（付記７）
光源は、頭部装着型デバイスのフレームの縁上に配置される、付記６に記載の頭部装着型デバイス。
（付記８）
ライトフィールドカメラは、頭部装着型デバイスのフレームの縁上に配置される、付記６または７に記載の頭部装着型デバイス。
（付記９）
ライトフィールドカメラは、頭部装着型デバイスのフレームの側部上に埋め込まれる、付記８に記載の頭部装着型デバイス。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
塗布される製品（Ｐ）を収容する容器（１０）と、
前記容器（１０）に収容される前記製品（Ｐ）が出るために通る、気泡性で変形可能な材料を含むスクリーン（３０）と
を備え、
前記容器（１０）が底部（１２）を備え、前記容器（１０）内の前記製品（Ｐ）が使い果たされたとき、前記スクリーン（３０）が前記容器（１０）の前記底部（１２）と接触することができ、
前記容器（１０）における前記製品（Ｐ）が使い果たされたとき、前記スクリーン（３０）が前記容器（１０）の前記底部（１２）の形状にぴったり合うことができる、包装および塗布の装置（１）。
【請求項２】
前記スクリーン（３０）が前記気泡性材料によって構成され、および／または前記スクリーン（３０）が弾性的に変形可能である、請求項１に記載の装置（１）。
【請求項３】
前記スクリーン（３０）が、ポリウレタンＰＵ発泡体、ポリエチレンＰＥ発泡体、ＥＶＡ発泡体、ＰＶＣ発泡体、含浸ＰＵ発泡体、気泡性ＥＰＤＭゴム、気泡性ネオプレンゴム、気泡性ニトリルゴム（ＮＢＲ／ＰＶＣ）、コンパクトネオプレンゴム、硬質ＥＰＤＭゴム、固体ＳＢＲゴム、コンパクトニトリルゴム、海綿状ゴム（ＥＰＤＭ、ネオプレン、シリコーン）、ポリエーテル、および／またはポリエステルを含む、請求項１または２に記載の装置（１）。
【請求項４】
前記スクリーン（３０）が単層または多層とされ、および／または前記スクリーン（３０）が貫通オリフィス（３５）を有し、および／または前記製品（Ｐ）が流体であり、および／または前記製品（Ｐ）の粘度が０．３７Ｐａ．ｓから０．５７Ｐａ．ｓまでの間である、請求項１から３のいずれか一項に記載の装置（１）。
【請求項５】
前記製品（Ｐ）が、化粧製品であり、具体的には、ファンデーション、コンシーラ製品、コンプレクションコレクタ、またはケア製品である、請求項１から４のいずれか一項に記載の装置（１）。
【請求項６】
前記装置（１）が、前記製品（Ｐ）が取り上げられていないときに前記スクリーン（３０）を覆う保護蓋（４０）を備え、前記装置が、前記保護蓋（４０）と前記スクリーン（３０）との間に収容される塗布具（２０）を有さない、請求項１から５のいずれか一項に記載の装置（１）。
【請求項７】
前記スクリーンの厚さ（ｅ）が、使用中に前記製品（Ｐ）が通過する前記スクリーンの部分において実質的に一定である、請求項１から６のいずれか一項に記載の装置（１）。
【請求項８】
前記スクリーン（３０）が、その周辺部において、前記装置（１）の残りの部分に固定される、請求項１から７のいずれか一項に記載の装置（１）。
【請求項９】
前記スクリーン（３０）が、その周辺部において、前記スクリーン（３０）を保持するための少なくとも１つの下方環体（６０）と、前記スクリーン（３０）を保持するための少なくとも１つの上方環体（７０）とによって、前記装置（１）の残りの部分に固定され、前記下方環体（６０）と前記上方環体（７０）とが、具体的にはスナップ留めによって互いと係合し、前記容器（１０）が好ましくは前記下方環体（６０）を受け入れるための環状溝（１９）を備える、または前記スクリーン（３０）が、その周辺部において、前記スクリーン（３０）とオーバーモールドされた少なくとも１つの環体によって前記装置（１）の残りの部分に固定される、または前記スクリーン（３０）が、その周辺部において、前記容器（１０）と少なくとも１つの固定環体との間に挟み付けられることによって前記装置（１）の残りの部分に固定される、請求項８に記載の装置（１）。
【請求項１０】
前記気泡性材料が独立気泡材料であり、前記スクリーン（３０）が、それを貫通する１つまたは複数の貫通オリフィス（３５）を有する、または前記気泡性材料が連続気泡材料である、請求項１から９のいずれか一項に記載の装置（１）。
【請求項１１】
前記容器（１０）の前記底部（１２）が、前記スクリーン（３０）に向かう凹状形を有する、請求項１から１０のいずれか一項に記載の装置（１）。
【請求項１２】
前記スクリーン（３０）が追従するものではない、請求項１から１１のいずれか一項に記載の装置（１）。
【請求項１３】
製品（Ｐ）がないとき、および、前記スクリーン（３０）を前記容器（１０）の前記底部（１２）に押し付けるために対応する圧力が上方から及ぼされないとき、前記スクリーン（３０）が、前記容器（１０）の前記底部（１２）における任意の位置と可逆的に接触する、請求項１から１２のいずれか一項に記載の装置（１）。
【請求項１４】
請求項１から１３のいずれか一項に記載の装置（１）を用いて、塗布具（２０）に製品を装填するステップと、
前記製品をヒトのケラチン物質の処置対象領域に塗布するステップと
を含むメーキャップ方法。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技機において、
主制御手段と、
演出制御手段と、を備え、
前記演出制御手段は、
遊技者の動作に基づいて第１モードまたは第２モードの何れかに制御可能であり、
前記第１モードにおいて、前記主制御手段から送信された一の情報を受信した場合は第１演出を実行し、
前記第２モードにおいて、前記主制御手段から送信された前記一の情報を受信した場合は第２演出または第３演出の何れかを実行する
ことを特徴とする遊技機。
【手続補正２】
【補正対象書類名】明細書
【補正対象項目名】００１１
【補正方法】変更
【補正の内容】
【００１１】
（手段１）本発明による遊技機は、所定の遊技を実行可能な遊技機において、主制御手段（例えば、遊技制御用マイクロコンピュータ１００）と、演出制御手段（例えば、第１演出制御用マイクロコンピュータ２１ＩＷ０１、第２演出制御用マイクロコンピュータ２１ＩＷ０２）と、を備え、演出制御手段は、遊技者の動作に基づいて第１モード（例えば、ライブモード）または第２モード（例えば、バトルモード）の何れかに制御可能であり（例えば、第２演出制御用マイクロコンピュータ２１ＩＷ０２がステップ２１ＩＷＳ０４２〜Ｓ０４６を実行し、第１演出制御用マイクロコンピュータ２１ＩＷ０１がステップ２１ＩＷＳ０１２〜Ｓ０１５を実行する）、第１モードにおいて、主制御手段から送信された一の情報を受信した場合は第１演出を実行し、第２モードにおいて、主制御手段から送信された一の情報を受信した場合は第２演出または第３演出の何れかを実行する（例えば、スーパーＰＢ３−３に対応する変動パターンコマンドを受信した場合、ライブモードであればライブリーチを実行し、バトルモードであればバトルリーチまたは全回転演出を実行する）ことを特徴とする。そのような構成によれば、主制御手段の負担を増加させずに演出効果を高めることができる。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
抗原に特異的に結合する免疫グロブリンの重鎖または軽鎖のヌクレオチド配列またはアミノ酸配列を得る方法であって、
（ａ）少なくとも１つの動物の免疫グロブリン鎖またはその可変領域をコードする核酸配列を準備するステップ；
（ｂ）抗原に特異的に結合するポリクローナル免疫グロブリンの集団を得、そして該集団の重鎖または軽鎖、またはその可変領域のペプチド断片の質量スペクトル情報を得るステップ；
（ｃ）ペプチド断片の質量スペクトル情報を、核酸配列からの予測質量スペクトル情報、該核酸配列によってコードされる予測アミノ酸配列から導き出された該予測質量スペクトル情報と関連づけてペプチド断片を含む免疫グロブリン鎖（またはその可変領域）のヌクレオチド配列またはアミノ酸配列を同定するステップ；および
（ｄ）ペプチド断片による免疫グロブリン鎖またはその断片のアミノ酸配列包括度に基づいて、免疫グロブリン鎖（またはその可変領域）の同定されたヌクレオチド配列またはアミノ酸配列から選択して抗原に特異的に結合する免疫グロブリンの重鎖または軽鎖のヌクレオチド配列またはアミノ酸配列を得るステップ：
を含む方法。
【請求項２】
核酸配列が発現された核酸配列である、請求項１に記載の方法。
【請求項３】
予測質量スペクトル情報が、
（ｉ）１つ又はそれ以上のプロテアーゼおよび／または１つ又はそれ以上の化学的タンパク質切断試薬を用いて、核酸配列のヌクレオチド配列によってコードされた予測されたアミノ酸配列の理論的消化を行って仮想ペプチド断片を生成するステップ；および
（ｉｉ）該仮想ペプチド断片の予測質量スペクトルを作製するステップ：
を含む方法を用いて得られる、請求項１に記載の方法。
【請求項４】
ステップ（ｂ）の免疫グロブリンの前記ポリクローナル集団が動物の体液サンプルまたはその画分から得られる、請求項１に記載の方法。
【請求項５】
動物がステップ（ａ）における前記少なくとも１つの動物と同じである、請求項４に記載の方法。
【請求項６】
前記体液サンプルまたはその画分から、ステップ（ｂ）の免疫グロブリンの前記ポリクローナル集団を精製し、任意に、プロテインＡまたはプロテインＧ精製または抗原に基づくアフィニティー精製によって精製を実施する、請求項４に記載の方法。
【請求項７】
１つまたはそれ以上のプロテアーゼおよび／または１つまたはそれ以上の化学的タンパク質切断試薬を用いて集団を消化して断片を生成し、そして生成された断片を質量分析にかけることによって、免疫グロブリンのポリクローナル集団から、ステップ（ｂ）のペプチド断片の質量スペクトル情報が得られる、請求項１に記載の方法。
【請求項８】
ステップ（ｄ）における選択が、（ｉ）ペプチド断片による免疫グロブリンのＣＤＲ３配列のアミノ酸配列包括度；（ｉｉ）ペプチド断片による免疫グロブリンの可変領域のアミノ酸配列包括度；または（ｉ）及び（ｉｉ）に基づく、請求項１に記載の方法。
【請求項９】
ステップ（ｄ）における選択が、マップされたユニークペプチドの数、スペクトル共用、総ペプチド計数、ユニークペプチド計数、コード核酸配列の頻度、およびクローン関連性からなる群から選択される少なくとも１つのパラメーターにさらに基づく、請求項１に記載の方法。
【請求項１０】
抗原に特異的に結合する免疫グロブリンを作製する方法であって、
請求項１の方法を用いて重鎖および軽鎖のヌクレオチド配列またはアミノ酸配列を得るステップ、
得られたヌクレオチド配列またはアミノ酸配列に基づいて、組換え分子生物学的手法または遺伝子合成手法によって該重鎖および該軽鎖を作るステップ、ならびに
該重鎖を該軽鎖とアセンブリングして抗原に特異的に結合する免疫グロブリンを作製するステップ、
を含む方法。
【請求項１１】
抗原に特異的に結合する免疫グロブリンの免疫グロブリン鎖可変領域のヌクレオチド配列またはアミノ酸配列を得る方法であって、
（ａ）少なくとも１つの動物の多数の免疫グロブリンの免疫グロブリン可変領域をコードする核酸配列を準備するステップ；
（ｂ）抗原に特異的に結合するポリクローナル免疫グロブリンの集団の免疫グロブリン鎖可変領域のペプチド断片の質量スペクトル情報を得るステップ；
（ｃ）ペプチド断片の質量スペクトル情報を、核酸配列の予測質量スペクトル情報、該核酸配列によってコードされる予測アミノ酸配列から導き出された該予測質量スペクトル情報と関連づけて、ペプチド断片を含む免疫グロブリン鎖可変領域のヌクレオチド配列またはアミノ酸配列を同定するステップ；および
（ｄ）ペプチド断片による可変領域のアミノ酸配列包括度に基づいて、免疫グロブリン鎖可変領域の同定されたヌクレオチド配列またはアミノ酸配列から選択して抗原に特異的に結合する免疫グロブリンの可変領域のヌクレオチド配列またはアミノ酸配列を得るステップ：
を含む方法。
【請求項１２】
（ｅ）ステップ（ｄ）において得られたヌクレオチド配列またはアミノ酸配列に基づいて、組換え分子生物学的手法または遺伝子合成手法によって免疫グロブリン鎖可変領域を作るステップ、
をさらに含む、請求項１１に記載の方法。